【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
対物レンズと位相補償板で構成され、波長が異なる３つのレーザビームを用い、波長λ１のレーザビームで開口数ＮＡ１により基板厚さｔ１の情報記録媒体に記録再生し、波長λ２のレーザビームで開口数ＮＡ２により基板厚さｔ２の情報記録媒体に記録再生し、波長λ３のレーザビームで開口数ＮＡ３（但し、ＮＡ３＜ＮＡ１，ＮＡ３＜ＮＡ２）により基板厚さｔ３の情報記録媒体に記録再生するためのピックアップレンズであって、
前記対物レンズの両面は連続した非球面形状からなり、
前記位相補償板の第１の面に同心円状かつ階段状の輪帯が形成され、各輪帯には、波長λ１のレーザビームで開口数ＮＡ１により基板厚さｔ１の情報記録媒体に記録再生する際に生じる波面収差と、波長λ２のレーザビームで開口数ＮＡ２により基板厚さｔ２の情報記録媒体に記録再生する際に生じる波面収差の、双方を低減するような非球面形状が個別に設定され、
前記位相補償板の第２の面には、
同心円状の輪帯が形成され、波長λ１と波長λ２のレーザビームに対しては不感であり、かつ、開口数ＮＡ３以下の部分について波長λ３のレーザビームを開口数ＮＡ３により前記対物レンズに直接入射したときに発生する波面収差を低減するように補正する補正領域と、
開口数ＮＡ３より大きい部分について波長λ３のレーザビームを前記対物レンズに直接入射したときに発生する波面収差を補正しない非補正領域とを設けたピックアップレンズ。
【請求項２】
波長λ３のレーザビームのうち開口数ＮＡ３より大きい部分については、波面収差が大きくなるように前記位相補償板の面形状と輪帯における段差Ｄが設定されたことを特徴とする請求項１記載のピックアップレンズ。
【請求項３】
波長λ３のレーザビームのうち開口数ＮＡ３より大きい部分については、前記位相補償板の面形状が平面であることを特徴とする請求項１又は２記載のピックアップレンズ。
【請求項４】
前記開口数については、ＮＡ１＞ＮＡ２であり、
前記位相補償板の第１の面において、前記開口数ＮＡ２以下の部分は、波長λ１のレーザビームで開口数ＮＡ１により基板厚さｔ１の情報記録媒体に記録再生する際に生じる波面収差と、波長λ２のレーザビームで開口数ＮＡ２により基板厚さｔ２の情報記録媒体に記録再生する際に生じる波面収差の、双方を低減するよう補正する補正領域であり、
前記開口数ＮＡ２より大きい部分は、波長λ２のレーザビームを入射したときに発生する波面収差を補正しない非補正領域であることを特徴とする請求項１記載のピックアップレンズ。
【請求項５】
前記位相補償板の第２の面に形成された輪帯は、当該輪帯毎に段差を設けて位相ずれを発生させる素子であることを特徴とする請求項１又は２記載のピックアップレンズ。
【請求項６】
前記位相補償板の第２の面に形成された輪帯は、波長λ１のレーザビームに対しては絶対値が０．１λ１より小さい波面の位相ずれを発生させ、かつ波長λ２のレーザビームに対しては絶対値が０．１λ２より小さい波面の位相ずれを発生させることを特徴とする請求項５記載のピックアップレンズ。
【請求項７】
前記位相補償板の第２の面に形成された輪帯における段差Ｄは、波長λ１のレーザビームに対する位相補償板の屈折率をｎ１としたとき、Ｄ＝α×λ１／（ｎ１−１）で表わすことができ、この式においてαは、整数又は整数±０．１の範囲であることを特徴とする請求項５又６記載のピックアップレンズ。
【請求項８】
波長λ３のレーザビームで開口数ＮＡ３により基板厚さｔ３の情報記録媒体に記録再生する場合における波面収差を０．０４１λｒｍｓ以下にすることを特徴とする請求項１乃至７いずれか１項に記載のピックアップレンズ。
【請求項９】
波長λ１、λ２、λ３は、λ１＜λ２＜λ３の関係を満たすことを特徴とする請求項１乃至８いずれか１項に記載のピックアップレンズ。
【請求項１０】
波長λ１が略４０５ｎｍ、波長λ２が略６５５ｎｍ、波長λ３が略７９０ｎｍ、基板厚さｔ１が略０．１ｍｍ、基板厚さｔ２が略０．６ｍｍ、基板厚さｔ３が略１．２ｍｍ、開口数ＮＡ１が略０．８５、開口数ＮＡ２が略０．６５、開口数ＮＡ３が略０．５０、であることを特徴とする請求項９記載のピックアップレンズ。
【請求項１１】
波長λ１が略４０５ｎｍ、波長λ２が略６５５ｎｍ、波長λ３が略７９０ｎｍ、基板厚さｔ１が略０．６ｍｍ、基板厚さｔ２が略０．６ｍｍ、基板厚さｔ３が略１．２ｍｍ、開口数ＮＡ１が略０．６５、開口数ＮＡ２が略０．６５、開口数ＮＡ３が略０．５０、であることを特徴とする請求項９記載のピックアップレンズ。
【請求項１２】
前記位相補償板において、波長λ１のレーザビームに対して発生する波面の位相ずれの絶対値が、波長λ２のレーザビームに対して発生する波面の位相ずれの絶対値よりも小さいことを特徴とする請求項９乃至１１いずれか１項に記載のピックアップレンズ。
【請求項１３】
前記３つのレーザビームのいずれもが平行光として入射され、対応する情報記録媒体に集光することを特徴とする請求項１乃至１２いずれか１項に記載のピックアップレンズ。
【請求項１４】
波長λ１、λ２、λ３の波長が異なる光源と、位相補償板と、対物レンズとを備え、各々開口数ＮＡ１、ＮＡ２、ＮＡ３（但し、ＮＡ３＜ＮＡ１，ＮＡ３＜ＮＡ２）により各々厚さｔ１、ｔ２、ｔ３の基板を有する情報記録媒体に記録再生を行う光ピックアップ装置であって、
前記対物レンズの両面は連続した非球面形状からなり、
前記位相補償板の第１の面に同心円状かつ階段状の輪帯が形成され、各輪帯には、波長λ１のレーザビームで開口数ＮＡ１により基板厚さｔ１の情報記録媒体に記録再生する際に生じる波面収差と、波長λ２のレーザビームで開口数ＮＡ２により基板厚さｔ２の情報記録媒体に記録再生する際に生じる波面収差の、双方を低減するような非球面形状が個別に設定され、
前記位相補償板の第２の面には、
同心円状の輪帯が形成され、波長λ１と波長λ２のレーザビームに対しては不感であり、かつ、開口数ＮＡ３以下の部分について波長λ３のレーザビームを開口数ＮＡ３により前記対物レンズに直接入射したときに発生する波面収差を低減するように補正する補正領域と、
開口数ＮＡ３より大きい部分について波長λ３のレーザビームを前記対物レンズに直接入射したときに発生する波面収差を補正しない非補正領域とを設けた光ピックアップ装置。
【請求項１５】
前記開口数については、ＮＡ１＞ＮＡ２であり、
前記位相補償板の第２の面において、前記開口数ＮＡ２以下の部分は、波長λ１のレーザビームで開口数ＮＡ１により基板厚さｔ１の情報記録媒体に記録再生する際に生じる波面収差と、波長λ２のレーザビームで開口数ＮＡ２により基板厚さｔ２の情報記録媒体に記録再生する際に生じる波面収差の、双方を低減するよう補正する補正領域であり、
前記開口数ＮＡ２より大きい部分は、波長λ２のレーザビームを入射したときに発生する波面収差を補正しない非補正領域であることを特徴とする請求項１４記載の光ピックアップ装置。
【請求項１６】
前記対物レンズは、３つのレーザビームのいずれもが平行光として入射され、対応する情報記録媒体に集光することを特徴とする請求項１４又は１５記載の光ピックアップ装置。
【請求項１７】
前記波長λ１のレーザビーム、前記波長λ２のレーザビーム及び前記波長λ３のレーザビームの全てに対して共通の検出系を備えたことを特徴とする請求項１４記載の光ピックアップ装置。
【手続補正２】
【補正対象書類名】明細書
【補正対象項目名】００１８
【補正方法】変更
【補正の内容】
【００１８】
本発明にかかるピックアップレンズは、対物レンズと位相補償板で構成され、波長が異なる３つのレーザビームを用い、波長λ１のレーザビームで開口数ＮＡ１により基板厚さｔ１の情報記録媒体に記録再生し、波長λ２のレーザビームで開口数ＮＡ２により基板厚さｔ２の情報記録媒体に記録再生し、波長λ３のレーザビームで開口数ＮＡ３（但し、ＮＡ３＜ＮＡ１，ＮＡ３＜ＮＡ２）により基板厚さｔ３の情報記録媒体に記録再生するためのピックアップレンズであって、前記対物レンズの両面は連続した非球面形状からなり、前記位相補償板の第１の面に同心円状かつ階段状の輪帯が形成され、各輪帯には、波長λ１のレーザビームで開口数ＮＡ１により基板厚さｔ１の情報記録媒体に記録再生する際に生じる波面収差と、波長λ２のレーザビームで開口数ＮＡ２により基板厚さｔ２の情報記録媒体に記録再生する際に生じる波面収差の、双方を低減するような非球面形状が個別に設定され、前記位相補償板の第２の面には、同心円状の輪帯が形成され、波長λ１と波長λ２のレーザビームに対しては不感であり、かつ、開口数ＮＡ３以下の部分について波長λ３のレーザビームを開口数ＮＡ３により前記対物レンズに直接入射したときに発生する波面収差を低減するように補正する補正領域と、開口数ＮＡ３より大きい部分について波長λ３のレーザビームを前記対物レンズに直接入射したときに発生する波面収差を補正しない非補正領域とを設けたものである。
さらに、波長λ３のレーザビームのうち開口数ＮＡ３より大きい部分については、波面収差が大きくなるように前記位相補償板の面形状と輪帯における段差Ｄを設定することが好ましい。
また、波長λ３のレーザビームのうち開口数ＮＡ３より大きい部分については、前記位相補償板の面形状が平面であることも好ましい。
また、前記開口数については、ＮＡ１＞ＮＡ２であり、前記位相補償板の第１の面において、前記開口数ＮＡ２以下の部分は、波長λ１のレーザビームで開口数ＮＡ１により基板厚さｔ１の情報記録媒体に記録再生する際に生じる波面収差と、波長λ２のレーザビームで開口数ＮＡ２により基板厚さｔ２の情報記録媒体に記録再生する際に生じる波面収差の、双方を低減するよう補正する補正領域であり、前記開口数ＮＡ２より大きい部分は、波長λ２のレーザビームを入射したときに発生する波面収差を補正しない非補正領域であることが望ましい。
また、前記位相補償板の第２の面に形成された輪帯は、当該輪帯毎に段差を設けて位相ずれを発生させる素子であることが望ましい。
さらに、前記位相補償板の第２の面に形成された輪帯は、波長λ１のレーザビームに対しては絶対値が０．１λ１より小さい波面の位相ずれを発生させ、かつ波長λ２のレーザビームに対しては絶対値が０．１λ２より小さい波面の位相ずれを発生させることが好ましい。
また、前記位相補償板の第２の面に形成された輪帯における段差Ｄは、波長λ１のレーザビームに対する位相補償板の屈折率をｎ１としたとき、Ｄ＝α×λ１／（ｎ１−１）で表わすことができ、この式においてαは、整数又は整数±０．１の範囲であることが望ましい。
また、波長λ３のレーザビームで開口数ＮＡ３により基板厚さｔ３の情報記録媒体に記録再生する場合における波面収差を０．０４１λｒｍｓ以下にすることが好ましい。
さらに、波長λ１、λ２、λ３は、λ１＜λ２＜λ３の関係を満たすことが望ましい。例えば、波長λ１が略４０５ｎｍ、波長λ２が略６５５ｎｍ、波長λ３が略７９０ｎｍ、基板厚さｔ１が略０．１ｍｍ、基板厚さｔ２が略０．６ｍｍ、基板厚さｔ３が略１．２ｍｍ、開口数ＮＡ１が略０．８５、開口数ＮＡ２が略０．６５、開口数ＮＡ３が略０．５０、である。若しくは、波長λ１が略４０５ｎｍ、波長λ２が略６５５ｎｍ、波長λ３が略７９０ｎｍ、基板厚さｔ１が略０．６ｍｍ、基板厚さｔ２が略０．６ｍｍ、基板厚さｔ３が略１．２ｍｍ、開口数ＮＡ１が略０．６５、開口数ＮＡ２が略０．６５、開口数ＮＡ３が略０．５０、である。
また、前記位相補償板において、波長λ１のレーザビームに対して発生する波面の位相ずれの絶対値が、波長λ２のレーザビームに対して発生する波面の位相ずれの絶対値よりも小さいことが望ましい。
さらに、前記３つのレーザビームのいずれもが平行光として入射され、対応する情報記録媒体に集光することが望ましい。
本発明にかかる光ピックアップ装置は、波長λ１、λ２、λ３の波長が異なる光源と、位相補償板と、対物レンズとを備え、各々開口数ＮＡ１、ＮＡ２、ＮＡ３（但し、ＮＡ３＜ＮＡ１，ＮＡ３＜ＮＡ２）により各々厚さｔ１、ｔ２、ｔ３の基板を有する情報記録媒体に記録再生を行う光ピックアップ装置であって、前記対物レンズの両面は連続した非球面形状からなり、前記位相補償板の第１の面に同心円状かつ階段状の輪帯が形成され、各輪帯には、波長λ１のレーザビームで開口数ＮＡ１により基板厚さｔ１の情報記録媒体に記録再生する際に生じる波面収差と、波長λ２のレーザビームで開口数ＮＡ２により基板厚さｔ２の情報記録媒体に記録再生する際に生じる波面収差の、双方を低減するような非球面形状が個別に設定され、前記位相補償板の第２の面には、同心円状の輪帯が形成され、波長λ１と波長λ２のレーザビームに対しては不感であり、かつ、開口数ＮＡ３以下の部分について波長λ３のレーザビームを開口数ＮＡ３により前記対物レンズに直接入射したときに発生する波面収差を低減するように補正する補正領域と、開口数ＮＡ３より大きい部分について波長λ３のレーザビームを前記対物レンズに直接入射したときに発生する波面収差を補正しない非補正領域とを設けたものである。
ここで、前記開口数については、ＮＡ１＞ＮＡ２であり、前記位相補償板の第２の面において、前記開口数ＮＡ２以下の部分は、波長λ１のレーザビームで開口数ＮＡ１により基板厚さｔ１の情報記録媒体に記録再生する際に生じる波面収差と、波長λ２のレーザビームで開口数ＮＡ２により基板厚さｔ２の情報記録媒体に記録再生する際に生じる波面収差の、双方を低減するよう補正する補正領域であり、前記開口数ＮＡ２より大きい部分は、波長λ２のレーザビームを入射したときに発生する波面収差を補正しない非補正領域であることが望ましい。
前記対物レンズは、３つのレーザビームのいずれもが平行光として入射され、対応する情報記録媒体に集光することが好ましい。
また、前記波長λ１のレーザビーム、前記波長λ２のレーザビーム及び前記波長λ３のレーザビームの全てに対して共通の検出系を備えることが望ましい。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】